(57)【特許請求の範囲】
【請求項１】
被写体を撮像し、撮像画像を出力する撮像手段と、この撮像手段から出力された撮像画像を記録する記録手段とを有する電子カメラ装置と、
前記記録手段に記録されている撮像画像を受信する受信手段と、
この受信手段により受信された撮像画像を表示手段に表示させる表示制御手段とを有する画像処理装置とからなり、
前記画像処理装置は、さらに、
前記電子カメラ装置に対して前記表示手段による前記撮像画像の表示を行なうために必要なコードの送信要求を行なう送信要求手段を有し、
前記電子カメラ装置は、さらに、
前記送信要求手段による送信要求があった場合に、前記画像処理装置に対して前記コードを送信する送信手段を有し、
前記表示制御手段は、前記送信手段により送信された前記コードが前記受信手段により受信された撮像画像を撮像した電子カメラ装置からのものである場合に、前記表示手段による撮像画像の表示を可能にすることを特徴とする撮像画像のセキュリティシステム。
【請求項２】
被写体を撮像し、撮像画像を出力する撮像手段と、この撮像手段から出力された撮像画像を記録する記録手段とを有する電子カメラ装置において、
外部の画像処理装置からの送信要求があった場合に、前記画像処理装置に対して該画像処理装置による前記撮像手段により撮像された撮像画像の表示を可能とするために必要なコードを送信する送信手段を有することを特徴とする電子カメラ装置。
【請求項３】
前記撮像手段により撮像された撮像画像あるいは前記記録手段に記録されている撮像画像を暗号化して暗号化画像を得る画像暗号化手段を有し、
前記送信手段は、外部の画像処理装置からの送信要求があった場合に、前記画像暗号化手段により得られた暗号化画像の前記画像処理装置による復元表示を可能とするための復号コードを前記画像処理装置に対して送信することを特徴とする請求項２記載の電子カメラ装置。
【請求項４】
暗号コードと電子カメラ装置の認証コードを記憶する記憶手段と、
暗号化コードを生成する暗号化コード生成手段とを有し、
画像暗号化手段は、
前記記憶手段に記憶されている暗号コードと前記暗号化コード生成手段により生成された暗号化コードから画像暗号化コードを得て、該画像暗号化コードで撮像画像を暗号化して暗号化画像を得るものであり、
前記送信手段は、
外部画像処理装置に前記暗号化画像および暗号化認証コードを送信する手段と、
外部の画像処理装置からの送信要求である暗号化認証コードの受信があった場合に、受信した暗号化認証コードから画像暗号化コードを復元し、復号コードとして前記画像処理装置に対して送信する手段とを含むことを特徴とする請求項３記載の電子カメラ装置。
【請求項５】
前記復号コードは、前記画像暗号化手段による撮像画像の暗号化に用いた暗号化コードであることを特徴とする請求項３又は４記載の電子カメラ装置。
【請求項６】
電子カメラ装置の記録手段に記録されている撮像画像を受信する受信手段と、
この受信手段により受信された撮像画像を表示手段に表示させる表示制御手段とを有する画像処理装置において、
前記電子カメラ装置に対して前記表示手段による前記撮像画像の表示を行なうために必要なコードの送信要求を行なう送信要求手段を有し、
前記表示制御手段は、前記送信要求手段による送信要求に応答して前記電子カメラ装置から送信された前記コードが前記受信手段により受信された撮像画像を撮像した電子カメラ装置からのものである場合に、前記表示手段による撮像画像の表示を可能にすることを特徴とする画像処理装置。
【請求項７】
前記受信手段は、前記電子カメラ装置において暗号化された暗号化画像を受信し、
前記送信要求手段は、前記表示手段による前記受信手段により受信された暗号化画像の復元表示を行なうために必要な復号コードの送信要求を行なうものであり、
前記表示制御手段は、前記送信要求手段による送信要求に応答して前記電子カメラ装置から送信された前記復号コードに基づいて前記暗号化画像を復元して前記表示手段に表示させることを特徴とする請求項６記載の画像処理装置。
【請求項８】
前記受信手段は、暗号化画像とともに暗号化認証コードを受信し、
前記送信要求手段は、前記受信手段により受信された前記暗号化認証コードを送信することにより復号コードの送信要求を行なうものであることを特徴とする請求項６記載の画像処理装置。
【発明の詳細な説明】
【０００１】
【発明の属する技術分野】
本発明はデジタルカメラ等の電子カメラ装置で撮影した画像を外部装置で利用する場合のデータセキュリティ技術に関する。
【０００２】
【従来の技術】
デジタルカメラ等の電子カメラ装置で撮影した画像は、ケーブル接続や赤外線通信によりパーソナルコンピュータ（以下、パソコン）や、コンピュータを内蔵した画像処理装置等に送信し、それらの装置で加工されたりデータベースに蓄積されて、検索／利用されている。
【０００３】
また、今日の大部分のコンピュータシステムではデータ保護のためのデータセキュリティが施されており、このようなデータセキュリティ技術には大別して、ａ：データへのアクセス資格認証方式
例えば、広く普及しているＩＤによる本人認証や、職位によるデータ利用資格の認証方式等
ｂ：データの暗号化による保護
ｃ：上記ａとｂの併用方式
がある。
【０００４】
データセキュリティは多くのコンピュータシステムや通信システムで適用されているが、パソコンの場合は、コンピュータシステムや通信システムの端末装置として用いられる場合にはそのシステムのデータセキュリティ方式が適用されるが、単体での使用の場合は端末として用いられる場合と比較するとデータセキュリティが十分であるとはいえない。
【０００５】
【発明が解決しようとする課題】
デジタルカメラ等の電子カメラ装置で撮影した画像は上述したようにケーブル接続や赤外線通信によりパソコン等の外部装置に送信し、それら装置側の記録媒体に記録され加工或いは検索／表示等の利用がなされるが、１台の装置を多くの者が共用するような場合にデータセキユリティが十分になされないと、他の者に利用されたくないデータが利用されたり盗まれることがある。特に、画像データは撮影者のプライバシーと直接結び付く可能性が極めて高いデータであり、撮影者が望む者以外には渡したくないし、見たり利用して欲しくない部類のデータである。
【０００６】
ここで、ＩＤ等で画像データへのアクセス資格を制限してもパソコンの場合、ＩＤコードはパソコンの記録媒体に記録されているのでその領域を解読用プログラム等で参照してＩＤコードを取り出すことは比較的容易であり、ＩＤが知られてしまえば画像データへのアクセスができるという問題点がある。
【０００７】
また、画像データを暗号化しても、画像データを利用する場合に用いる解読用のキーが画像処理装置側に置かれる場合には、ＩＤの場合と同様にキーが記録されている領域を解読用プログラム等で参照してキーを取り出すことは比較的容易であり、キーを知られてしまえば画像データへのアクセスができるという問題点がある。
【０００８】
また、デジタルカメラの画像データ出力機能を利用して、直接画像データが直接コピーされたり、また、画像記録媒体が着脱可能である場合には、記録媒体そのものが盗まれてしまう可能性があり、この場合も、画像データへのアクセスができるという問題がある。
【０００９】
本発明は、画像データを含むデータセキュリティに関する上記問題点を解決することを目的としてなされたものであり、電子カメラ装置で撮影した画像を外部画像処理装置で利用する際に、撮影元である電子カメラ装置による認証を要件としてデータ保護を行なう、認証方式の提供を目的とする。
【００１０】
【課題を解決するための手段】
上記目的を達成するために、第１の発明の撮像画像のセキュリティシステムは、被写体を撮像し、撮像画像を出力する撮像手段と、この撮像手段から出力された撮像画像を記録する記録手段とを有する電子カメラ装置と、前記記録手段に記録されている撮像画像を受信する受信手段と、この受信手段により受信された撮像画像を表示手段に表示させる表示制御手段とを有する画像処理装置とからなり、前記画像処理装置は、さらに、前記電子カメラ装置に対して前記表示手段による前記撮像画像の表示を行なうために必要なコードの送信要求を行なう送信要求手段を有し、前記電子カメラ装置は、さらに、前記送信要求手段による送信要求があった場合に、前記画像処理装置に対して前記コードを送信する送信手段を有し、前記表示制御手段は、前記送信手段により送信された前記コードが前記受信手段により受信された撮像画像を撮像した電子カメラ装置からのものである場合に、前記表示手段による撮像画像の表示を可能にすることを特徴とする。
【００１１】
第２の発明の電子カメラ装置は、被写体を撮像し、撮像画像を出力する撮像手段と、この撮像手段から出力された撮像画像を記録する記録手段とを有する電子カメラ装置において、外部の画像処理装置からの送信要求があった場合に、前記画像処理装置に対して該画像処理装置による前記撮像手段により撮像された撮像画像の表示を可能とするために必要なコードを送信する送信手段を有することを特徴とする。
【００１２】
第３の発明の電子カメラ装置は、第２の発明において、前記撮像手段により撮像された撮像画像あるいは前記記録手段に記録されている撮像画像を暗号化して暗号化画像を得る画像暗号化手段を有し、前記送信手段は、外部の画像処理装置からの送信要求があった場合に、前記画像暗号化手段により得られた暗号化画像の前記画像処理装置による復元表示を可能とするための復号コードを前記画像処理装置に対して送信することを特徴とする。
【００１３】
第４の発明の電子カメラ装置は、第３の発明において、暗号コードと電子カメラ装置の認証コードを記憶する記憶手段と、暗号化コードを生成する暗号化コード生成手段とを有し、画像暗号化手段は、前記記憶手段に記憶されている暗号コードと前記暗号化コード生成手段により生成された暗号化コードから画像暗号化コードを得て、該画像暗号化コードで撮像画像を暗号化して暗号化画像を得るものであり、前記送信手段は、外部画像処理装置に前記暗号化画像および暗号化認証コードを送信する手段と、外部の画像処理装置からの送信要求である暗号化認証コードの受信があった場合に、受信した暗号化認証コードから画像暗号化コードを復元し、復号コードとして前記画像処理装置に対して送信する手段とを含むことを特徴とする。
【００１４】
第５の発明の電子カメラ装置は、第３又は第４の発明において、前記復号コードは、前記画像暗号化手段による撮像画像の暗号化に用いた暗号化コードであることを特徴とする。
【００１５】
第６の発明の画像処理装置は、電子カメラ装置の記録手段に記録されている撮像画像を受信する受信手段と、この受信手段により受信された撮像画像を表示手段に表示させる表示制御手段とを有する画像処理装置において、前記電子カメラ装置に対して前記表示手段による前記撮像画像の表示を行なうために必要なコードの送信要求を行なう送信要求手段を有し、前記表示制御手段は、前記送信要求手段による送信要求に応答して前記電子カメラ装置から送信された前記コードが前記受信手段により受信された撮像画像を撮像した電子カメラ装置からのものである場合に、前記表示手段による撮像画像の表示を可能にすることを特徴とする。
【００１６】
第７の発明の画像処理装置は、第６の発明において、前記受信手段は、前記電子カメラ装置において暗号化された暗号化画像を受信し、前記送信要求手段は、前記表示手段による前記受信手段により受信された暗号化画像の復元表示を行なうために必要な復号コードの送信要求を行なうものであり、前記表示制御手段は、前記送信要求手段による送信要求に応答して前記電子カメラ装置から送信された前記復号コードに基づいて前記暗号化画像を復元して前記表示手段に表示させることを特徴とする。
【００１７】
第８の発明の画像処理装置は、第６の発明において、前記受信手段は、暗号化画像とともに暗号化認証コードを受信し、前記送信要求手段は、前記受信手段により受信された前記暗号化認証コードを送信することにより復号コードの送信要求を行なうものであることを特徴とする。
【００１８】
【発明の実施の形態】
＜セキュリティシステム＞
（実施形態１）
図１は、本発明の画像のセキュリティシステムの一実施例の概要説明図である。
図１で、撮像装置（電子カメラ装置）１は画像処理装置２に暗号化した画像（以下、暗号化画像）ａを送信し、画像処理装置２は暗号化画像ａを受信して記録する。
画像処理装置２で暗号化画像ａを元の画像に復元して利用（表示、加工、編集、記録、送信等画像処理の一切をいう、以下同じ）する場合に、アクセス開始に先立って撮像装置１に対し送信要求信号ｂを送信する。
撮像装置１は画像処理装置２からの送信要求信号ｂを受取ると、暗号化画像の暗号化に用いた暗号化コードｃを送信する。
画像処理装置２は撮像装置１からの暗号化コードｃにより暗号化画像から画像を復元する。
【００１９】
（実施形態２）
図１（Ｂ）で、撮像装置１は画像処理装置２に暗号化画像ａおよび暗号化した認証コード（以下、暗号化認証コード）ｄを送信し、画像装置２は暗号化画像ａおよび暗号化認証コードｄを受信して記録する。
画像処理装置２で暗号化画像ａを元の画像に復元して利用する場合に、アクセス開始に先立って撮像装置１に対し記録していた暗号化認証コードｄを送信する。
撮像装置１は画像処理装置２から暗号化認証コードｄを受取ると、暗号化認証コードｄを元に暗号化画像の暗号化に用いた画像暗号化コードｅを復元して画像処理装置２に送信する。
画像処理装置２は撮像装置１からの画像暗号化コードｅにより暗号化画像から画像を復元する。
【００２０】
（実施形態３）
図１（Ｃ）で、撮像装置１は画像処理装置２にセキュリティコードが部分的に合成された画像ｉを送信し、画像処理装置２は画像ｉを受信して記録する。
画像処理装置２で画像ｉを利用する場合、アクセス開始に先立って画像処理装置２は撮像装置１に対し送信要求信号ｂを送信する。
撮像装置１は画像処理装置２からの送信要求信号ｂを受取ると、セキュリティコードｓを送信する。
画像処理装置２は撮像装置１からのセキュリティコードｓを受信して画像ｉに合成されたセキュリティコードｓの除去処理を行ない画像を復元する。
【００２１】
上記実施形態１〜３で、撮像装置１と画像処理装置２とのデータ送受信はケーブル（データ送受信用接続ケーブル）接続或いは、赤外線通信を含む光通信によって行なわれる。従って、ケーブル接続の場合には、使用者は撮像装置１と画像処理装置２のケーブル接続を撮像装置１から画像処理装置２への画像の送信時と、画像処理装置２からの送信要求時に行なう。
また、以下の実施例では撮像装置としてデジタルカメラを、画像処理装置としてパソコンを用いているがこれらに限定されない。
また、実施例１，２では暗号化画像を利用しようとする場合に、暗号化画像を自動的に検出して画像処理装置から撮像装置に復号コードの送信要求を行なっているが、暗号化画像を利用しようとする場合に使用者の指示入力によって画像処理装置から撮像装置に復号コードの送信要求を行なうようにしてもよい。
また、実施例３では撮像装置からの画像を利用しようとする場合に、撮像装置認証手段が画像処理装置から撮像装置に自動的にセキュリティコードの送信要求を行なっているが、撮像装置からの画像を利用しようとする場合に使用者の指示入力によって画像処理装置から撮像装置にセキュリティコードの送信要求を行なうようにしてもよい。
【００２２】
＜回路構成例＞
［撮像装置］
図２は、本発明の撮像装置の一実施例としてのデジタルカメラの回路構成例を示すブロック図である。図２で、デジタルカメラ１００は、光学系１１、信号変換部１２、信号処理部１３、ＤＲＡＭ１４、赤外線入出力部１５、Ｉ／Ｏインターフェイス１９、制御部２０、操作部３０、表示部４０、ＯＳＤ用ＲＯＭ４５および記録部５０を有している。
【００２３】
光学系１１は、撮像レンズ１１１等を含み、撮像レンズ１１１を介して集光された被写体像の光束を後段の撮像素子（ＣＣＤ）上に結像させる。
【００２４】
信号変換部１２は、ＣＣＤおよび信号変換回路等を含み、前段の光学系１１を介してＣＣＤに結像した画像を電気信号に変換し、デジタルデータに変換して一定の周期で出力する。
【００２５】
信号処理部１３は、信号変換部１２からの出力を処理して、デジタルの輝度、色差マルチプレクス信号（ＹＵＶデータ）等の信号成分を得て、ＹＵＶデータをＤＲＡＭ１４に転送する。また、記録保存の際にＤＲＡＭ１４に書込まれているＹＵＶデータを読み出してＪＰＥＧ圧縮処理を施し、再生時に記録媒体（フラッシュメモリ）５１に保存記録されていた画像データに伸張処理を施してＹＵＶデータを再生する。
【００２６】
ＤＲＡＭ１４には図６（Ｃ）に示すように画像データを一時的に記憶する画像バッファ１４−１，暗号化された画像データを一時的に記憶する暗号化画像バッファ１４−２領域および画像の暗号化等に用いる作業用領域１４−３が確保されている。
【００２７】
制御部２０はＣＰＵ、ＲＡＭ、ＲＯＭ等を有したマイクロプロセッサ構成を有しており、ＣＰＵは、上述の各回路および図示しない電源切換えスイッチ等にバスラインを介して接続し、ＲＯＭに格納されている制御プログラムによりデジタルカメラ１００全体の制御を行なうと共に、操作部３０からの状態信号に対応してデジタルカメラの各機能の実行制御、例えば、送信モードでのシークレット処理手段１１０（または、シークレット処理手段１２０或いは画像セキュリティ手段１３０）の実行制御を行なう。
【００２８】
操作部３０は、処理モード切換えスイッチ、機能選択用ボタン、メインスイッチ、送信モード等選択ボタン３６，送信ボタン３７および記録／再生モード切換えスイッチ等のスイッチやボタンを構成部分とし、これらのスイッチ或いはボタンが操作されると状態信号が制御部２０に送出される。
【００２９】
表示部４０は液晶ディスプレイ装置等の表示装置から構成されており、撮像時の被写体画像表示および再生時の再生画像表示の他、処理選択時の選択用メニュー等の表示が行なわれる。
【００３０】
ＲＯＭ４５にはアイコンや固定値のほか、認証コードや暗号コードまたは暗号化コードが記憶される。認証コードはデジタルカメラ１００の固有コードであり、例えば、機番（製造番号）でもよい。なお、暗号化コードは通常は乱数生成手段によって生成される乱数等が用いられるが、装置毎に異なる固有のコードを暗号化コードとして固定的に用いてもよく、この場合には固定暗号コードをＲＯＭ４５に記憶するようにしてもよい。
【００３１】
記録部５０は記録媒体（実施例ではフラッシュメモリ）５１上に信号処理部１３からの画像データを記録する。また、フラッシュメモリ５１には画像データを記録する領域の他に、画像データの記録時に当該画像の撮影条件等を登録する画像情報登録リスト（図示せず）を記録する記録領域等を有している。
【００３２】
［画像処理装置］
図３は、画像処理装置の一実施例としてのパソコンの構成例を示す図である。図３で、パソコン２００は、ＣＰＵ２０１、ＲＡＭ２０２，ＲＯＭ２０３，Ｉ／Ｏインターフェイス２０５，キーボード（ＫＢ）等からなる入力部２０６，ＤＲＡＭ２０７、磁気ディスク（ＨＤ）等のリムーバルな記録媒体にデータの記録／読み出しを行なう記録部２０８およびディスプレイ（ＣＲＴ）からなる表示部２０９を備えている。なお、赤外線通信により外部装置とのデータの送受が可能な赤外線入出力部等の光通信装置を備えるようにしてもよい。
【００３３】
ＣＰＵ２０１は、ＲＯＭ２０３に記憶されているＭＳ−ＤＯＳ（商品名）等のＯＳ（オペレーションシステム）によりパソコン２００全体および各プログラムの実行の制御、例えば、デジタルカメラ１００から送信される暗号化画像の記録や、処理に際しての暗号化画像の復元プログラム等の実行制御やデジタルカメラ１００への送信要求のＩ／Ｏインターフェイス２０５を介しての送信およびデジタルカメラからの復号コードの受信等を行なう暗号化画像復元手段２１０（または、暗号化画像復元手段２２０或いはセキュリティ画像復元手段２３０）の実行制御を行なう。
【００３４】
ＤＲＡＭ２０７は、デジタルカメラ１００から送信された暗号化画像を一時記憶して記録部２０８に送出すると共に、記録部２０８で読み出された暗号化画像および暗号化画像の復号により復元された画像を一時記憶する。
【００３５】
記録部２０８はＤＲＡＭ２０７からの暗号化画像データや、他の入力装置からのデータおよび加工や編集されたデータおよび各アプリケーションプログラムを磁気ディスク等の記録媒体にファイル形式で記憶する。また、ＣＰＵ２０１の制御により記録媒体に記録されたデータやプログラムを読み出してＤＲＡＭ２０７或いはＲＡＭ２０２に転送する。
【００３６】
＜実施例１＞
（１−１）  送信モード
デジタルカメラ１００は、被写体を撮像して画像を得てフラッシュメモリ５１に記憶する撮像モードと、記録された画像を再生する再生モードおよびケーブル接続された外部装置にＩ／Ｏインターフェイス１９を介して画像（データ）を送信する送信モードを有しているが、この送信時に、画像等を暗号化して外部装置に送信する構成を有している。なお、赤外線入出力部を備えた外部装置についてはデータの授受を赤外線通信により行なうことができる。
送信モードへの切換えは、記録／再生モード切換えスイッチを再生モード側に切換えた後、送信モード選択ボタン３６を押すことによりなされ、シークレット処理手段１１０が起動される。
【００３７】
（１−２）  シークレット処理手段
図４はシークレット処理手段１１０の構成例を示すブロック図である。なお、下記各手段はハードウエア回路で構成してもよいが、本実施例ではプログラムで構成し、制御部２０のＲＯＭまたはフラッシュメモリ５１に記憶されている。また、上記各手段（モジュール）の一部をハードウエア回路で構成し、他をプログラムで構成するようにしてもよい。
【００３８】
図４で、（Ａ）は固定された暗号化コードを用いて暗号化する場合のシークレット処理手段１１０の構成例であり、シークレット処理手段１１０は、画像暗号化手段１１２と暗号化画像送信手段１１３と、送信要求受信手段１１６および復号コード送信手段１１８を有している。
画像暗号化手段１１２は、ＲＯＭ４５に記録されている暗号化コード６１を用いて所定の暗号化方式によりＤＲＡＭ１４に一時的に記憶されている画像（データ）６６を暗号化して暗号化画像（データ）６７を得てＤＲＡＭ１４に一時記憶する（図６）。
暗号化コード６１は装置毎に異なる固有のコードであり、例えば、デジタルカメラ１００の製造番号等を用いてもよい。また、暗号化方式は既知の暗号方式のうち適当な暗号方式を用いてもよい。また、暗号化される画像は圧縮されていることが送信効率上望ましいが圧縮されていなくてもよい。また、画像に係わる情報を画像と共に暗号化するようにしてもよい。
暗号化画像送信手段１１３はデジタルカメラ１００とパソコン２００がケーブルで接続されたことを確認した後に、暗号化画像をパソコンに２００送信する。
送信要求受信手段１１６は、パソコン２００からケーブルおよびインターフェイス１９を介して送信される各送信要求信号を受信してそれが復号コード送信要求か否かを判定し、復号コード送信手段１１８は送信要求信号が復号コード送信要求の場合にＲＯＭ４５に記憶されている暗号化コードを読み出してパソコン２００に送信する。
【００３９】
図４で、（Ｂ）は乱数化された暗号化コードを用いて暗号化する場合のシークレット処理手段１１０の構成例であり、シークレット処理手段１１０は、乱数生成手段１１１，画像暗号化手段１１２’，暗号化画像送信手段１１３と、送信要求受信手段１１６および暗号コード送信手段１１８’を有している。
乱数生成手段１１１は所定のトリガ値（例えば、画像の撮影日時）を基に乱数を生成し、画像暗号化手段１１２’は、乱数生成手段１１１で生成された乱数値の所定桁数を暗号化コードとして所定の暗号化方式により画像データを暗号化して暗号化画像を得ると共に、暗号化コードをフラッシュメモリ５１に記憶する。
暗号方式は画像暗号化手段１１２の場合と同様に既知の暗号方式のうち適当な暗号方式を用いてもよく、暗号化される画像は圧縮されていることが送信効率上望ましいが圧縮されていなくてもよく、また、画像に係わる情報を同時に圧縮するようにしてもよい。
暗号化画像送信手段１１３はデジタルカメラ１００とパソコン２００がケーブルで接続されたことを確認した後に、暗号化画像をパソコン２００に送信する。
送信要求受信手段１１６は、パソコン２００からケーブルおよびインターフェイス１９を介して送信される各送信要求信号を受信してそれが復号コード送信要求か否かを判定し、暗号コード送信手段１１８’は送信要求信号が復号コード送信要求の場合にフラッシュメモリ５１に記憶されている暗号化コードを読み出してパソコン２００に送信する。
【００４０】
（１−３）  画像処理モード
パソコン２００は、ＯＳの管理下で磁気ディスク記録されている各アプリケーションプログラムやデータを記録部２０８を介して読み出してＲＡＭ２０２に記憶し、ＣＰＵ２０１の制御により実行する。
画像処理モードにおいても磁気ディスクから画像処理用アプリケーションプログラムや画像データを読み出して画像処理を実行するが、画像へのアクセス開始に先立って暗号化画像復元手段２１０を実行する。なお、暗号化画像等は画像データ受信プログラム等の受信手段により通常の画像データと同様に受信され、磁気ディスクに記録される。
【００４１】
（１−４）  暗号化画像復元手段
図５は暗号化画像復元手段２１０の構成例を示すブロック図であり、下記の各手段はプログラムモジュールとして構成されて磁気ディスクに記録されており、画像処理モード時に読み出されてＲＡＭ２０２に一時的に記録される。
暗号化画像復元手段２１０は、暗号化画像検出手段２１１、復号コード送信要求送信手段２１２、復号コード受信手段２１３および画像復元手段２１４を有している。
【００４２】
暗号化画像検出手段２１１は、画像データファイルに対するアクセス開始時にアクセスに先立ってその画像が暗号化画像であるか否かを調べる。
具体的には、通常、パソコンに常駐されているＭＳ−ＤＯＳ等のＯＳがデータファイルへのアクセスに先立ち、使用する機器の状態（使用可能／不可能状態）の判定を行なうと共に、アクセス対象のデータファイルについてアクセスの可能／不可能状態を判定する。データファイルのアクセスの可能／不可能状態の判定は磁気ディスクに記録されているファイルディレクトリを基にデータファイルを検索する。ファイルが画像データファイルのとき、暗号化画像検出手段２１１は割込みをかけてファイルディレクトリまたはファイルの所定部分のデータ種別記憶位置を調べることにより、画像データが暗号化画像か否かを判定することができる。
【００４３】
復号コード送信要求送信手段２１２は、暗号化画像検出手段２１１の判定結果が「暗号化画像」を意味する時、表示装置２０９に「画像送信元装置とケーブル接続を行なうこと」を促す意味のメッセージを表示し、ケーブル接続後、デジタルカメラ１００に復号コード送信要求（信号）をケーブルを介して送信する。
なお、パソコン２００が赤外線入出力部を備えた構成の場合には、復号コード送信要求送信手段２１２を、暗号化画像検出手段２１１の判定結果が「暗号化画像」を意味する時、表示装置２０９に「画像送信元装置と通信可能にすること」を促す意味のメッセージを表示し、通信状態になった後に、デジタルカメラ１００に復号コード送信要求（信号）を赤外線により送信するようにできる。
なお、暗号化画像検出手段２１１の判定結果が「暗号化画像」を意味する時点で既に画像送信元装置とケーブル接続されている、あるいは通信可能状態になっている場合には上記メッセージを表示させることなく、直ちに複合コード送信要求信号を送信するようにしてもよい。
【００４４】
復号コード受信手段２１３は、復号コード送信要求に基づいてデジタルカメラ１００が送信した復号コードを受信してＲＡＭ２０２に一時記憶し、画像復号手段２１４は、磁気ディスクから画像処理用アプリケーションプログラムで用いる暗号化画像を読み出してＤＲＡＭ２０７に一時記憶し、ＲＡＭ２０２に記憶されている復号コード（＝暗号化コード）を用いて暗号化画像から画像を復元してＤＲＡＭ２０７の復元画像記憶領域２０７−２に記憶し、画像処理アプリケーションプログラムに引渡す。
【００４５】
［セキュリティシステム下における画像の遷移例］
図６は、本発明の画像のセキュリティシステム下における画像の遷移例を示す説明図であり、図６で、（Ａ）はデジタルカメラ１００のＲＯＭ４５に記憶されている暗号化コード６１を示し、（Ｂ）はフラッシュメモリ５１から読み出されＤＲＡＭ１４の画像バッファ１４−１に記憶された画像データ６６を示し、（Ｃ）は画像データ６６を暗号化コード６１によって暗号化し、画像バッファ１４−２に格納した暗号化画像６７を示す。
また、（Ｄ）はデジタルカメラ１００からパソコン２００に送信され、ＤＲＡＭ２０７の画像バッファ２０７−１に記憶された暗号化画像６７を示し、（Ｅ）はパソコン２００からの送信要求に基づいてデジタルカメラ１００から送信され、ＲＡＭ２０２に記憶された暗号化コード６１を示し、（Ｆ）は暗号化コードによって暗号化画像６７から復元され、画像バッファ２０７−２に記憶された画像６６を示す。
【００４６】
［セキュリティシステム下の動作例］
図７は、セキュリティシステム下のデジタルカメラおよびパソコンの動作例を示すフローチャートであり、（Ａ），（Ａ’）はデジタルカメラの動作例を示すフローチャート、（Ｂ），（Ｂ’）はパソコンの動
作例を示すフローチャートである。
【００４７】
▲１▼  デジタルカメラ側の動作例
（画像の暗号化および送信）
図７（Ａ）で、制御部２０は操作部３０からの状態信号を調べ、ボタン３６が押された場合には、送信モードへの切換えがされたものとしてシークレット処理手段１１０を起動し（Ｓ１）、暗号化コード６１をＲＯＭ４５から読み出す共に（Ｓ２）、フラッシュメモリ５１から送信する画像を読み出してＤＲＡＭ１４に記憶する（Ｓ３）。
そして、暗号化コード６１を基にＤＲＡＭ１４に記憶した画像６６を暗号化して暗号化画像６７としてＤＲＡＭ１４に記憶する（Ｓ４）。
デジタルカメラ１００とパソコン２００が接続されているか否かを調べ（Ｓ５）、接続されている場合にはＤＲＡＭ１４の暗号化画像をパソコン２００に送信する（Ｓ６）。なお、ステップＳ５でのデジタルカメラ１００とパソコン２００との接続はケーブル接続に限定されず、赤外線通信等の光通信方式等の無線接続の場合を含む。また、送信ボタン３７の操作により暗号化画像の送信を開始するようにしてもよい。
【００４８】
（暗号化コードの送信）
パソコン２００からの信号が復号コード送信要求信号か否かを判定し（Ｓ７）、復号コード送信要求信号の場合にはＲＯＭ４５に記憶されている暗号化コードを読み出してパソコン２００に送信する（Ｓ８）。
上記動作例は、ＲＯＭ４５に記録されている固定暗号化コードを用いる例であるが、乱数を暗号化コードとする場合は、上記ステップＳ２でＲＯＭ４５からの暗号化コードの読み出しに代えて、乱数を生成して暗号化コードとして記憶し、ステップＳ４で画像暗号化に用いると共に、ステップＳ８で記憶した乱数を復号コード（＝暗号化コード）としてパソコン２００に送信するようにする。
【００４９】
▲２▼  パソコン側の動作例
（暗号化画像の受信）
パソコン２００はデジタルカメラ１００との接続時に、デジタルカメラ１００から送信される暗号化画像を受信し（Ｔ１）、記録部２０８を介して磁気ディスク等の記録媒体に暗号化画像を記録する（Ｔ２）。
【００５０】
（暗号化画像の復元）
使用者は所望の時期に画像処理用プログラムを起動することによりパソコン２００を画像処理モードに遷移できる。
画像処理モードに遷移したとき（Ｔ３）、アクセスする画像のなかに暗号化画像があるかを調べ、暗号化画像がない場合にはＴ９に遷移する（Ｔ４）。
パソコン２００とデジタルカメラ１００が接続されたか否かを調べ（Ｔ５）、接続されている場合には復号コードの送信要求信号をデジタルカメラ１００に送信する（Ｔ６）。
デジタルカメラ１００からの復号コードの受信を待って（Ｔ７）、受信した復号コード（＝暗号化コード）を用いて暗号化画像から画像を復元し、画像処理アプリケーションプログラムに遷移する（Ｔ８）。画像処理アプリケーションプログラムは画像処理（画像表示処理等）を実行する（Ｔ９）。
なお、上記ステップＴ７で復号コードが所定時間待っても受信されない場合は、本実施例で用いたデジタルカメラではない通常のデジタルカメラが接続されていると判断して処理を終了する。また、上記ステップＴ８で画像を復元することができない場合は、その画像を撮影したデジタルカメラではないカメラが接続されているということなので、この時は画像を復元できないまま処理を終了する。
【００５１】
＜実施例２＞
本実施例で用いるデジタルカメラおよびパソコンは、実施例１の場合と同様に図２および図３で示したような回路構成をなしている。また、ＲＯＭ４５には装置の認証コードと暗号コードが記録されている。
【００５２】
（２−１）  送信モード
デジタルカメラ１００は、実施例１の場合と同様に撮像モード、再生モードおよび送信モードを有している。なお、データの授受も同様にケーブル接続、或いは赤外線通信のような光通信により行なうことができる。また、送信モードへの切換えも実施例１の場合と同様であり、送信モードへの切換えが行なわれるとシークレット処理手段１２０が起動される。
【００５３】
（２−２）  シークレット処理手段
図８は、シークレット処理手段１２０の構成例を示すブロック図である。なお、下記各手段はハードウエア回路で構成してもよいが、本実施例ではプログラムで構成し、制御部２０のＲＯＭまたはフラッシュメモリ５１に記憶されている。また、上記各手段（モジュール）の一部をハードウエア回路で構成し、他をプログラムで構成するようにしてもよい。
【００５４】
図８で、シークレット処理手段１２０は、暗号化コード生成手段１２１と、画像暗号化コード生成手段１２２と、認証コード暗号化手段１２３と、画像暗号化手段１２４と、暗号化画像送信手段１２５と、コード送信手段１２６と、送信要求受信手段１２７、画像暗号化コード復元手段１２８を有している。
【００５５】
暗号化コード生成手段１２１は所定のトリガ値（例えば、画像の撮影日時）を基に乱数を生成する。
画像暗号コード生成手段１２２は、ＲＯＭ４５に記録されている装置固有の暗号コードΨと暗号化コード生成手段１２１で生成した乱数値Ｒと暗号コードΨを演算（実施例では乗算）して画像暗号化コードＲΨを生成する。また、認証コード暗号化手段１２３は乱数値Ｒと認証コードΩを乗算して暗号化認証コードＲΩを生成する。
画像暗号化手段１２４は、画像暗号化コードＲΨを用いて所定の暗号化方式により画像データＩを暗号化して暗号化画像ＲΨＩを得る。暗号方式は実施例１の画像暗号化手段１１２の場合と同様に既知の暗号方式のうち適当な暗号方式を用いてもよい。
暗号化画像送信手段１２５はデジタルカメラ１００とパソコン２００がケーブルで接続されたことを確認した後に、暗号化画像ＲΨＩをパソコン２００に送信する。
コード送信手段１２６は暗号化画像送信時にはデジタルカメラ１００からパソコン２００に暗号化認証コードＲΩを送信し、パソコン２００から送信要求があった場合には画像暗号化コードＲΨを送信する。
送信要求受信手段１２７は、パソコン２００からケーブルおよびインターフェイス１９を介して送信される各送信要求信号および暗号化認証コードＲΩを受信してそれが復号コード送信要求か否かを判定する。
画像暗号化コード復元手段１２８は送信要求信号が復号コード送信要求の場合に受信した暗号化認証コードＲΩをＲＯＭ４５に記録されている認証コードΩで逆演算（実施例では除算（ＲΩ／Ω＝Ｒ））して乱数値Ｒを復元し、さらに、復元された乱数ＲとＲＯＭ４５に記録されている暗号コードΨを演算（実施例では乗算（Ｒ×Ψ＝ＲΨ）して画像暗号化コードＲΨを復元してコード送信手段１２６に遷移する。
【００５６】
（２−３）  画像処理モード
パソコン２００は、実施例１と同様に画像処理モードにおいて、画像処理を実行するが、画像へのアクセス開始に先立って暗号化画像復元手段２２０を実行する。
【００５７】
（２−４）  暗号化画像復元手段
図９は暗号化画像復元手段２２０の構成例を示すブロック図であり、下記の各手段はプログラムモジュールとして構成されて磁気ディスクに記録されており、画像処理モード時に読み出されてＲＡＭ２０２に一時的に記録される。
【００５８】
暗号化画像復元手段２２０は、暗号化画像検出手段２２１、復号コード送信要求送信手段２２２、復号コード受信手段２２３および画像復元手段２２４を有している。
暗号化画像検出手段２２１は、実施例１の暗号化画像検出手段２１１と同様の機能および動作を有し、画像に対するアクセス開始時にアクセス開始に先立ってその画像データファイルが暗号化画像であるか否かを調べる。
復号コード送信要求送信手段２２２は、暗号化画像検出手段２２１の判定結果が「暗号化画像」を意味する時、表示装置２０９に「画像送信元装置とケーブル接続を行なうこと」を促す意味のメッセージを表示し、ケーブル接続後、デジタルカメラ１００に復号コードの送信要求として記録していた暗号化認証コードＲΩを読み出してケーブルを介して送信する。
なお、パソコン２００が赤外線入出力装置を備えた構成の場合には、復号コード送信要求送信手段２２２を、暗号化画像検出手段２２１の判定結果が「暗号化画像」を意味する時、表示装置２０９に「画像送信元装置と通信可能にすること」を促す意味のメッセージを表示し、通信状態になった後に、デジタルカメラ１００に復号コードの送信要求を赤外線により送信するようにできる。
復号コード受信手段２２３は、復号コード送信要求に基づいてデジタルカメラ１００が送信した復号コードとしての画像暗号化コードＲΨを受信してＲＡＭ２０２に一時記憶する。
画像復号手段２２４は、磁気ディスクから画像処理用アプリケーションプログラムで用いる暗号化画像を読み出してＤＲＡＭ２０７に一時記憶し、ＲＡＭ２０２に記憶されている復号コード（＝画像暗号化コードＲΨ）を用いて暗号化画像から画像を復元してＤＲＡＭ２０７に一時的に記憶して画像処理アプリケーションプログラムに引渡す。
【００５９】
［セキュリティシステム下における画像および暗号の遷移例］
図１０は、本発明の画像のセキュリティシステム下における画像の遷移例を示す説明図であり、図１０で、（Ａ）はデジタルカメラ１００のＲＯＭ４５に記憶されている認証コードΩと暗号化コードΨ（Ω≒Ψ）、暗号化コード生成手段１２１で生成した乱数値Ｒ、乱数値Ｒと認証コードを乗算して得た暗号化認証コードＲΩと乱数値Ｒと暗号コードを乗算して得た画像暗号化コードＲΨを示す。
また、（Ｂ）はフラッシュメモリ５１から読み出されＤＲＡＭ１４の画像バッファ１４−１に記憶された画像データＩを示し、（Ｃ）は画像データＩを画像暗号化コードＲΨによって暗号化し、画像バッファ１４−２に格納した暗号化画像ＲΨＩを示す。
【００６０】
また、（Ｄ）はパソコン２００からの復号コード送信要求として送信された暗号化認証コードＲΩと、暗号化認証コードＲΩからＲＯＭ４５の認証コードΩによって復元された乱数値Ｒと、乱数値ＲとＲＯＭ４５の暗号コードΨから復元された画像暗号化コードＲΨを示す。
【００６１】
また、（Ｅ）はデジタルカメラ１００からパソコン２００に送信され、ＤＲＡＭ２０７の画像バッファ２０７−１に記憶された暗号化画像ＲΨＩを示し、（Ｆ）はデジタルカメラ１００からパソコン２００に送信され、ＲＡＭ２０２に記憶された暗号化認証コードＲΩを示す。
【００６２】
また、（Ｇ）はパソコン２００からの送信要求に基づいてデジタルカメラ１００から送信され、ＲＡＭ２０２に記憶された画像暗号化コードＲΨを示し、（Ｈ）は画像暗号化コードＲΨによって暗号化画像ＲΨＩから復元され、画像バッファ２０７−２に記憶された画像Ｉを示す。
【００６３】
［セキュリティシステム下の動作例］
図１１は、セキュリティシステム下のデジタルカメラおよびパソコンの動作例を示すフローチャートであり、（Ａ），（Ａ’）はデジタルカメラの動作例を示すフローチャート、（Ｂ），（Ｂ’）はパソコンの動作例を示すフローチャートである。
【００６４】
▲１▼  デジタルカメラ側の動作例
（画像および認証コードの暗号化および送信）
図１１（Ａ）で、制御部２０は操作部３０からの状態信号を調べ、ボタン３６が押された場合には、送信モードへの切換えがされたものとしてシークレット処理手段１２０を起動し（Ｕ１）、暗号コードΨおよび認証コードΩをＲＯＭ４５から読み出す共に（Ｕ２）、フラッシュメモリ５１から送信する画像Ｉを読み出してＤＲＡＭ１４に記憶する（Ｕ３）。
次に、乱数を生成して乱数値Ｒを得て（Ｕ４）、暗号コードΨと乱数値Ｒを乗算して画像暗号化コードＲΨを得ると共に、認証コードΩと乱数値Ｒを乗算して暗号化認証コードＲΩを得る（Ｕ５）。
そして、画像暗号化コードＲΨを基にＤＲＡＭ１４に記憶した画像Ｉを暗号化して暗号化画像ＲΨＩとしてＤＲＡＭ１４に記憶する（Ｕ６）。
デジタルカメラ１００とパソコン２００が接続されているか否かを調べ（Ｕ７）、接続されている場合にはＤＲＡＭ１４の暗号化画像ＲΨＩおよび暗号化認証コードＲΩをパソコン２００に送信する（Ｕ８）。なお、ステップＵ７でのデジタルカメラ１００とパソコン２００との接続はケーブル接続に限定されず、赤外線通信等の光通信方式等の無線接続の場合を含む。
【００６５】
（画像暗号化コードの復元および送信）
パソコン２００からの信号が復号コード送信要求（＝暗号化認証コードＲΩ）か否かを判定し（Ｕ９）、復号コード送信要求の場合にはＲＯＭ４５に記憶されている認証コードΩを読み出して除算して乱数値Ｒを復元する（Ｕ１０）。
次に、ＲＯＭ４５に記憶されている暗号コードΨを読み出して乱数値Ｒと乗算して画像暗号化コードＲΨを復元し（Ｕ１１）、画像暗号化コードＲΨをパソコン２００に送信する（Ｕ１２）。
【００６６】
▲２▼  パソコン側の動作例
（暗号化認証コードおよび暗号化画像の受信）
パソコン２００はデジタルカメラ１００との接続時に、デジタルカメラ１００から送信される暗号化画像ＲΨＩおよび暗号化認証コードＲΩを受信し（Ｖ１）、記録部２０８を介して磁気ディスク等の記録媒体に記録する（Ｖ２）。
【００６７】
（暗号化画像の復元）
使用者は所望の時期に画像処理用プログラムを起動することによりパソコン２００を画像処理モードに遷移できる。
画像処理モードに遷移したとき（Ｖ３）、アクセスする画像データのなかに暗号化画像があるかを調べ、暗号化画像がない場合にはＶ９に遷移する（Ｖ４）。
パソコン２００とデジタルカメラ１００が接続されたか否かを調べ（Ｖ５）、接続されている場合には暗号化認証コードＲΩを読み出して復号コード送信要求信号としてデジタルカメラ１００に送信する（Ｖ６）。
デジタルカメラ１００からの復号コード（＝画像暗号化コードＲΨ）の受信を待って（Ｖ７）、受信した画像暗号化コードＲΨを用いて暗号化画像ＲΨＩから画像Ｉを復元し、画像処理アプリケーションプログラムに遷移する（Ｖ８）。画像処理アプリケーションプログラムは画像処理を実行する（Ｖ９）。
なお、上記ステップＶ７で復号コードが受信されない場合、及び上記ステップＶ８で画像を復元することができない場合は処理を終了する。
【００６８】
＜実施例３＞
本実施例で用いるデジタルカメラおよびパソコンは、実施例１，２の場合と同様に図２および図３で示したような回路構成をなしている。また、ＲＯＭ４５にはセキュリティコードが記録されている。
【００６９】
（デジタルカメラ）
デジタルカメラ１００は、撮像モード、再生モードおよび送信モードを有している。なお、データの授受も同様にケーブル接続、或いは赤外線通信のような光通信により行なうことができる。また、送信モードへの切換えが行なわれると画像セキュリティ手段１３０が起動される。
【００７０】
図１２は、画像セキュリティ手段１３０の構成例を示すブロック図である。なお、下記各手段はハードウエア回路で構成してもよいが、本実施例ではプログラムで構成し、制御部２０のＲＯＭまたはフラッシュメモリ５１に記憶されている。また、上記各手段（モジュール）の一部をハードウエア回路で構成し、他をプログラムで構成するようにしてもよい。
図１２で、画像セキュリティ手段１３０は、セキュリティコード合成手段１３１、セキュリティ画像送信手段１３２、送信要求受信手段１３３、セキュリティコード送信手段１３４を有している。
セキュリティコード合成手段１３１は、ＲＯＭ４５からセキュリティコードを読み出して送信画像の所定の位置（複数）にセキュリティコードを合成し、セキュリティ画像送信手段１３２はセキュリティコード合成後の画像をパソコンに送信する。
【００７１】
セキュリティコードはＯＳＤや記号、模様、或いは警告メッセージからなり、画像の一部に重畳合成することにより、画像盗用の価値を低下させて画像データの消極的保護を図る（図１４）。なお、画像に合成するセキュリティコードを撮影月毎に変更するなどのセキュリティコード変更機能（プログラム）を画像セキュリティ手段１３０に付加してもよい。
送信要求受信手段１３３は、パソコン２００からケーブルおよびインターフェイス１９を介して送信される各送信要求信号を受信してそれが復号コード送信要求か否かを判定し、セキュリティコード送信手段１３４は送信要求信号がセキュリティコード送信要求の場合にセキュリティコードをＲＯＭ４５から読み出してパソコン２００に送信する。
【００７２】
（パソコン）
パソコン２００は、実施例１，２と同様に画像処理モードにおいて、画像処理を実行するが、アクセスするデータが画像の場合には、アクセス開始に先立ってセキュリティ画像復元手段２３０を実行する。
【００７３】
図１３は、セキュリティ画像復元手段２３０の構成例を示すブロック図であり、下記の各手段はプログラムモジュールとして構成されて磁気ディスクに記録されており、画像処理モード時に読み出されてＲＡＭ２０２に一時的に記録される。
セキュリティ画像復元手段２３０は、画像検出手段２３１、セキュリティコード送信要求送信手段２３２、セキュリティコード受信手段２３３および画像復元手段２３４を有している。
【００７４】
画像検出手段２３１は、画像に対するアクセスの際に、アクセス開始に先立ってそのデータがセキュリティ画像か否かを調べる。
セキュリティコード送信要求送信手段２３２は、画像検出手段２３１の判定結果が「セキュリティ画像」を意味する時、表示装置２０９に「画像送信元装置とケーブル接続を行なうこと」を促す意味のメッセージを表示し、ケーブル接続後、デジタルカメラ１００にセキュリティコードの送信要求をケーブルを介して送信する。
なお、パソコン２００が赤外線入出力装置を備えた構成の場合には、セキュリティコード送信要求送信手段２３２を、画像検出手段２３１の判定結果が「セキュリティ画像」を意味する時、表示装置２０９に「画像送信元装置と通信可能にすること」を促す意味のメッセージを表示し、通信状態になった後に、デジタルカメラ１００にセキュリティコードの送信要求を赤外線により送信するようにできる。
セキュリティコード受信手段２３３は、セキュリティコード送信要求に基づいてデジタルカメラ１００が送信したセキュリティコードを受信してＲＡＭ２０２に一時記憶する。
画像復元手段２３４は、磁気ディスクから画像処理用アプリケーションプログラムで用いる画像を読み出してＤＲＡＭ２０７に一時記憶し、ＲＡＭ２０２に記憶されているセキュリティコードを用いて画像に合成されたセキュリティコードを除去して画像を復元し、ＤＲＡＭ２０７に一時的に記憶して画像処理アプリケーションプログラムに引渡す。
【００７５】
図１４は、セキュリティコード（警告メッセージ例；「無断使用禁止」）が合成された画像の一実施例を示す説明図であり、画像の一部に重畳合成することにより画像の価値を低下させると共に、盗用者による画像復元用のプログラムの作成またはセキュリティ画像復元手段２３０を解読する労力と時間を費やさせることによる盗用意欲の抑制等、画像データの消極的保護を図っている。なお、セキュリティコード変更機能を画像セキュリティ手段２３０に付加することにより画像セキュリティの効果が一層向上する。
【００７６】
図１５は、セキュリティシステム下における画像の遷移例を示す説明図であり、図１５で、（Ａ）はデジタルカメラ１００のＲＯＭ４５に記憶されているセキュリティコードｓを示し、（Ｂ）はフラッシュメモリ５１から読み出されＤＲＡＭ１４の画像バッファ１４−１に記憶された画像データＩを示し、（Ｃ）は画像データＩにセキュリティコードｓを重畳合成し、画像バッファ１４−２に格納したセキュリティ画像ｉを示す。
また、（Ｄ）はデジタルカメラ１００からパソコン２００に送信され、ＤＲＡＭ２０７の画像バッファ２０７−１に記憶されたセキュリティ画像ｉを示し、（Ｅ）はデジタルカメラ１００からパソコン２００に送信され、ＲＡＭ２０２に記憶されたセキュリティコードＳを示し、（Ｆ）はセキュリティコードｓによってセキュリティ画像ｉから復元され、画像バッファ２０７−２に記憶された画像Ｉを示す。
【００７７】
［セキュリティシステム下の動作例］
図１６は、セキュリティシステム下のデジタルカメラおよびパソコンの動作例を示すフローチャートであり、（Ａ），（Ａ’）はデジタルカメラの動作例を示すフローチャート、（Ｂ），（Ｂ’）はパソコンの動作例を示すフローチャートである。
【００７８】
▲１▼  デジタルカメラ側の動作例
（セキュリティ画像の送信）
図１６（Ａ）で、制御部２０は操作部３０からの状態信号を調べ、選択ボタン３６が押された場合には、送信モードへの切換えがされたものとして画像セキュリティ手段１３０を起動し（Ｘ１）、セキュリティコードｓをＲＯＭ４５から読み出す共に（Ｘ２）、フラッシュメモリ５１から送信する画像Ｉを読み出してＤＲＡＭ１４に記憶する（Ｘ３）。
次に、画像Ｉの所定の位置（複数の位置）にセキュリティコードｓを重畳させて合成し、セキュリティ画像ｉとしてＤＲＡＭ１４に記憶する（Ｘ４）。
デジタルカメラ１００とパソコン２００が接続されているか否かを調べ（Ｘ５）、接続されている場合にはＤＲＡＭ１４のセキュリティ画像ｉをパソコン２００に送信する（Ｘ６）。なお、上記ステップＸ５でのデジタルカメラ１００とパソコン２００との接続はケーブル接続に限定されず、赤外線通信等の光通信方式等の無線接続の場合を含む。
【００７９】
（セキュリティコードの送信）
パソコン２００からの信号がセキュリティ送信要求か否かを判定し（Ｘ７）、セキュリティコード送信要求の場合にはＲＯＭ４５に記憶されているセキュリティコードｓを読み出してパソコン２００に送信する（Ｘ８）。
【００８０】
▲２▼  パソコン側の動作例
（セキュリティ画像の受信）
パソコン２００はデジタルカメラ１００との接続時に、デジタルカメラ１００から送信されるセキュリティ画像ｉを受信し（Ｙ１）、記録部２０８を介して磁気ディスク等の記録媒体に記録する（Ｙ２）。
【００８１】
（セキュリティ画像の復元）
使用者は所望の時期に画像処理用プログラムを起動することによりパソコン２００を画像処理モードに遷移できる。
画像処理モードに遷移したとき（Ｙ３）、アクセスする画像のなかにセキュリティ画像があるか否かを調べ、セキュリティ画像がない場合にはＹ９に遷移する（Ｙ４）。
パソコン２００とデジタルカメラ１００が接続されたか否かを調べ（Ｙ５）、接続されている場合にはセキュリティコード送信要求信号をデジタルカメラ１００に送信する（Ｙ６）。
デジタルカメラ１００からのセキュリティコードの受信を待って（Ｙ７）、受信したセキュリティコードｓを用いてセキュリティ画像ｉから画像Ｉを復元し、画像処理アプリケーションプログラムに遷移する（Ｙ８）。画像処理アプリケーションプログラムは画像処理を実行する（Ｙ９）。
上記ステップＹ７でセキュリティコードが受信されない場合、及び上記ステップＹ８で画像を復元することができない場合は復元することなく処理を終了するる。
【００８２】
なお、上記各実施例においては、画像の送信時に暗号化するようにしたが、撮影に暗号化するようにしてもよい。
また、暗号化をしない通常の撮影モードと暗号化するシークレット（セキュリティ）撮影モードとを設け、使用者が任意にモードの選択を行なえるようにしてもよい。このようにすれば、使用者が暗号化したいと思った場合のみ暗号化を行なうことができるようになる。
【００８３】
また、上記実施例においては、暗号化した画像を送信するようにしたが、必ずしも暗号化する必要はなく、例えば、送信時に画像とともにカメラ固有の認証コードを送信し、パソコン側では画像とともに受信した認証コードと送信要求により受信した認証コードとが一致した場合に、画像を表示する構成にしてもよい。このような場合にしても、世の中のパソコン（外部記憶装置）が全て本発明のような構成になっていれば、画像を表示させることができなくなるので問題はない。
【００８４】
また、シークレット（セキュリティ画像）送信モードの他に暗号化しないで画像の送信を行なう通常の送信モードを設けるようにしてもよい。このようにすれば、カメラの所有者は必要に応じて適宜モードの切換えを行なうことができるようになるので利便性が増す。但し、この場合カメラの所有者以外の人（画像データを盗もうとしている人）が簡単に通常の送信モードを設定できてしまうとまずいので、カメラの所有者でないとモード設定できないようにする必要がある（例えば、パスワードを入力しないと通常の送信モードを設定できないようにする）。
【００８５】
また、デジタルカメラ側のフラッシュメモリーを着脱可能にして、このフラッシュメモリーを他の外部記憶装置（パソコン情報携帯端末、他のデジタルカメラ等）に装着した場合にも本発明を実施することにより、同様の効果を得ることができる。
【００８６】
また、本実施例では、画像を処理（表示等）する毎に復号コードの送信要求、復号コードの受信、画像復元処理を行なうようにしたが、初回のみ行なうようにして、２回目以降は、通常の画像と同様に表示させることができるようにしてもよい。
【００８７】
以上本発明の実施例について説明したが、本発明は上記３つの実施例に限定されるものではなく、種々の変形実施が可能であることはいうまでもない。
【００８８】
【発明の効果】
以上説明したように第１，第２および第６の発明によれば、電子カメラ装置の認証がある場合のみその撮像画像を表示するのでデータ保護を確実にすることができる。
【００８９】
また、第３、第４、第５及び第７の発明によれば、撮像装置から送信された暗号化された画像は、利用時に送信元の撮像装置から復号コードを受取って画像を復号しなければ利用できない。更に、復号コードは画像処理装置側に記録されず、利用の都度、送信元の撮像装置から受取るので、復号コードを盗まれるおそれがないので、画像のセキュリティ度が極めて高くなる。
【００９０】
また、画像処理の際にアクセス対象の画像が暗号化された画像の場合にそれを検出し、その画像の送信元に対し復号コードの送信を要求し、送信された復号コードによって暗号化画像を復元することができる。したがって、仮に、他人が、送信元以外の装置と画像処理装置を接続することにより送信元以外の装置から復号コードが送られたとしても、その復号コードが送信元の暗号化コードと一致しない限り暗号化画像から復元された画像は無意味な画像となる。また、他の装置からの復号コードが送信元の暗号化コードと偶然一致する確率はほぼゼロに等しいので、画像データのセキュリティ度は極めて高い。
【図面の簡単な説明】
【図１】本発明の画像のセキュリティシステムの実施形態の概要説明図である。
【図２】本発明の撮像装置の一実施例としてのデジタルカメラの回路構成例を示すブロック図である。
【図３】画像処理装置の一実施例としてのパソコンの構成例を示す図である。
【図４】シークレット処理手段の構成例を示すブロック図である。
【図５】暗号化画像復元手段の構成例を示すブロック図である。
【図６】セキュリティシステム下における画像の遷移例を示す説明図でありる。
【図７】セキュリティシステム下のデジタルカメラおよびパソコンの動作例を示すフローチャートである。
【図８】シークレット処理手段の構成例を示すブロック図である。
【図９】暗号化画像復元手段の構成例を示すブロック図である。
【図１０】セキュリティシステム下における画像の遷移例を示す説明図である。
【図１１】セキュリティシステム下のデジタルカメラおよびパソコンの動作例を示すフローチャートである。
【図１２】画像セキュリティ手段の構成例を示すブロック図である。
【図１３】セキュリティ画像復元手段の構成例を示すブロック図である。
【図１４】セキュリティコードが合成された画像の一実施例を示す図である。
【図１５】セキュリティシステム下における画像の遷移例を示す説明図である。
【図１６】セキュリティシステム下のデジタルカメラおよびパソコンの動作例を示すフローチャートである。
【符号の説明】
１  撮像装置
２  画像処理装置
６１  暗号化コード（復号コード）
６６  画像
６７  暗号化画像
１００  デジタルカメラ
１２０，１３０  シークレット処理手段
２００  パーソナルコンピュータ
２１０，２２０  画像復元手段
Ｉ  画像
ｉ  暗号化画像
Ψ  暗号コード
Ω  認証コード
ＲΨ  画像暗号化コード
ＲΩ  暗号化認証コード
ＲΨＩ  暗号化画像
【図１】
0003743814.tif 000002
【図２】
0003743814.tif 000003
【図３】
0003743814.tif 000004
【図４】
0003743814.tif 000005
【図５】
0003743814.tif 000006
【図６】
0003743814.tif 000007
【図７】
0003743814.tif 000008
【図８】
0003743814.tif 000009
【図９】
0003743814.tif 000010
【図１０】
0003743814.tif 000011
【図１１】
0003743814.tif 000012
【図１２】
0003743814.tif 000013
【図１３】
0003743814.tif 000014
【図１４】
0003743814.tif 000015
【図１５】
0003743814.tif 000016
【図１６】
0003743814.tif 000017